(57)【特許請求の範囲】
【請求項１】
非同期転送モード（ＡＴＭ）からの呼に対する呼情報を収集するシステムであって、該システムは、
呼に対する呼情報を包含する呼記載事項を有する呼テーブルと、
該呼に関連するＡＴＭ呼を受信し、ＡＴＭセルヘッダデータを捕捉し、そして該呼テーブルにある呼記載事項のセル計数を更新するペイロード除去器とからなり、該セル計数が該呼に対する呼情報と関連するものであり、該システムはさらに、
帯域外信号ネットワークから帯域外信号情報を受信し、該帯域外信号情報を該呼テーブルの呼記載事項に記録する呼レジスタセットアップユニットとからなり、該帯域外信号情報が該呼に対する呼情報に関連するものであり、
該呼に対する呼情報が該呼テーブルから提供され、該提供された呼情報は請求書形式に成形され、そして該呼の完了に応動して、該成形された呼情報が請求書作成システムへ分配されることを特徴とするシステム。
【請求項２】
請求項１に記載のシステムにおいて、該帯域外信号情報は、応答時間、発呼電話番号、被呼電話番号、請求書作成電話番号及び呼長のうちの少なくとも１つを含むことを特徴とするシステム。
【請求項３】
請求項１に記載のシステムにおいて、該システムはさらに、該呼に関連するＡＴＭセルを受信し、該ＡＴＭセルから帯域内信号を隔離し、該帯域内信号を該呼テーブルの呼記載事項に記録し、そして該ＡＴＭセルを該ペイロード除去器へ渡すシステムユーティリティを含み、該帯域内信号は該呼に対する呼情報に関連することを特徴とするシステム。
【請求項４】
請求項３に記載のシステムにおいて、該呼レジスタセットアップユニットは、該呼が初期化されたときには呼テーブルに呼記載事項を生成し、該呼が完了したときには該呼記載事項をクリアすることを特徴とするシステム。
【請求項５】
請求項４に記載のシステムにおいて、セルヘッダデータは、仮想パス識別子、仮想回路識別子、呼優先表示及びエラー訂正コードのうちの少なくとも１つを含むことを特徴とするシステム。
【請求項６】
請求項５に記載のシステムにおいて、該呼レジスタセットアップユニットは該ペイロード除去器からセルヘッダデータを受信し、該セルヘッダデータを該呼テーブルの該呼記載事項に記録することを特徴とするシステム。
【請求項７】
請求項６に記載のシステムにおいて、該呼に対する呼記載事項が、該仮想パス識別子及び該仮想回路識別子のうちの１つによって識別されることを特徴とするシステム。
【請求項８】
ＡＴＭシステムにおいて呼情報を収集する方法であって、該方法は、
ａ）呼情報を収集する呼テーブルに呼に対する呼テーブル記載事項を生成する段階と、
ｂ）ＡＴＭセルからセルヘッダデータを得る段階からなり、該ＡＴＭセルは該呼に対する呼情報と関連するものであり、該方法はさらに、
ｃ）該呼に対する呼テーブル記載事項でセル計数を増加する段階と、
ｄ）帯域外信号ネットワークから帯域外信号情報を受信する段階からなり、該帯域外信号データは該呼に対する呼情報と関連するものであり、該方法はさらに、
ｅ）該セルヘッダデータと該帯域外信号情報とに基づいて該呼テーブルの該呼に対する呼テーブル記載事項を更新する段階とからなり、
該呼テーブル記載事項の該呼情報が、呼が完了したときに請求書作成システムへ分配されることを特徴とする方法。
【請求項９】
請求項８に記載の方法において、該方法はさらに、
ｆ）該ＡＴＭセルから帯域内信号を隔離する段階と、
ｇ）該呼テーブル記載事項において該帯域内信号を該セルヘッダデータと信号情報とに関連付ける段階とからなることを特徴とする方法。
【請求項１０】
請求項９に記載の方法において、該帯域内信号を関連付ける段階は、仮想パス識別子と仮想回路識別子のうちの少なくとも１つに関連する呼に対する呼テーブル記載事項に該帯域内信号を記録する段階を含むことを特徴とする方法。
【請求項１１】
請求項８に記載の方法において、該呼テーブル記載事項を作成する段階は、
該呼に対する電話番号をダイアルする段階と、
該帯域外信号ネットワークを用いて該呼を発する段階と、
該帯域外信号ネットワークから該ＡＴＭシステムのスイッチへ情報を渡す段階と、
該帯域外信号ネットワークからの情報に基づいて呼テーブル記載事項を生成する段階とからなることを特徴とする方法。
【発明の詳細な説明】
【０００１】
【発明の属する技術分野】
本発明は、請求書の作成を促進するために、特に、完全な、部分的なまたは要約的な呼詳述請求書作成レポートのためにＡＴＭ交換ネットワークから必要とされる請求書作成データを収集するための交換式音声ＡＴＭネットワーク（交換式仮想回路ＳＶＣと永久仮想回路ＰＶＣの両方）に向けられている。
【０００２】
【従来の技術及び発明が解決しようとする課題】
交換式音声ネットワークは一般に時分割多重（ＴＤＭ）タイプからなる。ＴＤＭシステムは、交換機と適時に定義されたフレームを使用して動作する。ＴＤＭシステムでは、情報はフレームで送信される。ＴＤＭシステムにおける帯域内信号は、フレームの各々の内部にあり、ペイロードとして処理される。システム  ユーティリティは、フレームからペイロードの信号部分を取り出して、この情報を請求書作成の目的に使用する。また、これは、ＴＤＭシステムにおける帯域外信号についても本当である。システム  ユーティリティは、関連ペイロードと共に信号特性を確認し、この情報もまた請求書作成目的に使用する。
【０００３】
専用線交換機では、顧客は使用にかかわらず均一料金を支払うことができる。
請求書は例えば月１回を基礎として生成され、毎月同じものなので、データの収集は起こらない。このタイプの請求書作成システムは厳密に言えばデータ転送のために使用され、電話機やファクシミリ装置等の音声装置ではない。
【０００４】
例えば、電話システムでは、請求書作成目的の情報は、フレーム内部の帯域内信号または帯域外信号を使用して抽出される。上述したように、ＴＤＭシステムは、ペイロードの一部として帯域内信号を処理するか、または帯域外信号と関連ペイロードを処理する。システム  ユーティリティは、ペイロードの信号（ダイアリング）部分を抽出する（また、１日の終わり（夜の１２時）に、多数の日にちにわたる呼の自動メッセージ会計（ＡＭＡ）記録を作成する。すなわち、全ネットワーク信号が収集され、ＡＭＡ記録の形で関連請求書作成システムに送信される。ＡＭＡは、どんな情報が必要とされるか、またはどこに行くのか、または請求書作成の目的で記録されるべきものを指示する標準請求書作成フォーマットである。これは、情報のアクセスからハッカー等の他人を排除する。時間、呼の長さ、発呼者、被請求人、請求書作成会社、サービスのタイプ等のような請求書作成の部分が全て収集され、請求書を作成するために使用される。ＴＤＭシステムは時間を基礎として動作するので、請求書作成は予め決められた時間に他の機能と共に起こる。
【０００５】
情報を転送するための非同期転送モード（ＡＴＭ）システムはより一般的になってきている。ＡＴＭシステムの情報は、ＴＤＭシステムのようにフレームよりむしろセルに送信される。したがって、ＡＴＭシステムは、このタイプのサービスが運ばれる（音声、データ、映像等）ことに関する制約を持たないことにより融通性がある。
【０００６】
ＡＴＭシステムから請求書作成データを収集するやり方には現在基準はない。
基準は、ＡＭＡシステムにどんなデータが含まれるべきかに関してのみ存在する。ＡＴＭ技術の現状は、研究するために働く基準本体と、信号、セル転送及び会計記録フォーマットの領域における認可基準とを有する。しかしながら、交換式音声及びデータネットワークでＡＴＭを使用することは達成されなかった。特に、ＡＴＭを使用して交換式音声またはデータネットワークから請求書作成情報（または他の情報）を抽出することは達成されなかった。
【０００７】
【課題を解決するための手段】
本発明は、ＡＴＭネットワークからデータを収集するためのシステムを提供する。ＡＴＭネットワークは、ＴＤＭネットワークから抽出されたものと同じ情報を抽出する。次いで、ＡＴＭネットワークで収集された請求書作成情報はいずれかの請求書作成システムに入力され、現在のＴＤＭネットワーク請求書作成システムをオーバーホールすることなく顧客請求書が作成される。完全な、または部分的な、または要約的な請求書作成レポートを作成することができる。
【０００８】
これら及び他の目的は、ターミナルアダプタ、ＡＴＭスイッチ、データ収集ユニット及び請求書作成システムを含むＡＴＭネットワークから請求書作成データを収集するためのシステムを提供することによって得られる。データ収集ユニットは、呼詳細変数を収集する呼テーブルと、ＡＴＭ交換ネットワークを通過する全てのセルのコピーを収集する記録済情報収集インターフェースユニットと、ＲＩＣＩＦＵからデータを受信して次の目標に送る記録済情報収集バス（ＲＩＣＢ）と、前記呼テーブルとＲＩＣＩＦＵとＲＩＣＢに接続されたペイロード除去装置及び／またはカウンタと、前記呼テーブルを更新する呼レジスタセットアップ（ＣＲＳ）と、更新された呼テーブルデータを受信し、全呼情報を請求書作成情報として望ましい請求書作成フォーマットにフォーマット化し、該請求書作成情報を前記請求書作成システムに出力する請求書作成インターフェースユニット（ＢＩＦＵ）とを含む。
【０００９】
呼レジスタセットアップは、共通チャンネル信号ネットワークから情報を受信するユニットと、前記呼に関する初期呼テーブル記載事項を作成するユニットと、帯域内信号と前記共通チャンネル信号システム情報とに基づいて前記呼テーブル記載事項を更新するユニットと、前記ＢＩＦＵに呼テーブル記載事項または自動会計データを送るユニットと、帯域内信号から呼分解コマンドを受信した後呼に関する呼テーブル記載事項をクリアするユニットとを含む。
ペイロード除去装置は、セルからペイロードを除去するユニットと、呼に関する呼テーブル記載事項におけるセル計数をインクリメントするユニットを含む。
【００１０】
さらに、本発明は、ＡＴＭネットワークにおいて請求書作成情報を収集する方法を提供する。この方法は、呼を初期化する工程と、呼テーブルにデータを収集する工程と、ＴＤＭプロトコルをＡＴＭプロトコルに変換する工程と、そのペイロードのセルを除去する工程と、呼が完了したかどうかを判別する工程と、請求書作成システムに分配するためにデータを再フォーマット化する工程と、他のセルのためにシステムを準備する工程とを含む。
【００１１】
セルの初期化工程は、長距離番号をダイアルする工程と、共通チャンネル信号システムを使用して呼をかける工程と、情報を共通チャンネル信号システムから前記システムの全スイッチに送る工程とを含む。呼テーブルにおけるデータ収集工程は、ＡＴＭネットワークを通過する全セルの全コピーを収集する工程と、帯域内信号を分離する工程と、帯域内信号を呼テーブルに掲示する工程とを含む。さらに、呼がそのペイロードから除去された後、呼テーブルのセル計数をインクリメントすることができる。
【００１２】
これらの目的は、後で明らかになるであろう他の目的及び利点と共に、下文により完全に説明され請求されているとおりの構造及び動作の詳細に帰し、その一部を構成する添付図面の参照が必要とされ、ここでは、同じ参照数字は同じ部品を指している。
【００１３】
【発明の実施の形態】
図１は本発明によるブロック図である。図１は、ターミナルアダプタ２０と、ＡＴＭスイッチ２２と、データ収集ユニット２４と、請求書作成システム２６を示している。簡単にするために、図面には１台だけのＡＴＭスイッチ２２が示されている。しかしながら、多数のＡＴＭスイッチ２２が使用される。ＡＴＭスイッチ２２はネットワークのどこにあっても良い。ＣＣＳ７（共通チャンネルシステム７−ＣＣＳ７規格に基づく信号ネットワークのＡＴ＆Ｔのバージョン）ネットワーク相互接続２８等の相互接続ネットワークが使用される。
【００１４】
ターミナルアダプタ２０は、さまざまな業者により製造されており、それらの業者から入手することができる。ターミナルアダプタ２０は、ＡＴＭシステムにおける使用のために、ＴＤＭチャンネルをＡＴＭセルに変換する。ＡＴＭセルは、ＡＴＭヘッダとペイロードを含む５３オクテットが入っているパケットである。最初の５バイトは、他のものの中に、セルの仮想パス識別子（ＶＰＩ）及び仮想チャンネル識別子（ＶＣＩ）と、呼優先表示と、エラー訂正コードを含むヘッダ情報を収容するのに使用される。残りの４８バイトには、ユーザーペイロード及び帯域内信号が入る。ペイロードは、音声、データ、マルチメディア、または何か他のユーザー定義ペイロードを含むことができる。各ＡＴＭスイッチ２２は、ＡＴＭセルを受信、切り換え、転送する。データ収集ユニット２４は、ＡＴＭスイッチ２２からＡＴＭセルを受信し、データ損失なしにシステムの他の部分とインターフェースし、請求書作成データのパラメータを設定する。データ収集ユニット２４は、ＡＴ＆Ｔ請求書作成装置、または、メッセージ会計のためのＡＴＭ規格が判別されるどんなものとでも互換性のあるフォーマットでデータを出力する。また、データ収集ユニット２４は、何らかの請求書作成フォーマットを有するどんな市販の請求書作成システム２６への出力も発生する。
【００１５】
次に、本発明のデータ収集ユニット２４を図２を参照してより詳細に説明する。このデータ収集ユニットは、記録済情報収集及びインターフェースユニット（ＲＩＣＦＵ）３０と、ペイロード除去装置（ＰＲ）３２と、呼レジスタセットアップ（ＣＲＳ）３４と、請求書作成インターフェースユニット（ＢＩＦＵ）３６と、バッファ３８を含む。
【００１６】
図示のように、データ収集ユニット２４は、３つの主入力と、請求書作成システム２６への１つ以上の出力を有する。入力は、例えばネットワーク制御ポイント（ＮＣＰ）を介するＣＣＳ７ネットワーク２８からの信号情報と、ＡＴＭスイッチ２２からのセルトラフィックと、手入力されるシステムパラメータを含む。
【００１７】
信号情報は、呼テーブル４０の特定呼情報記載事項を入れたり更新したりするのに使用される。また、信号情報は、データ収集ユニットの２４のパラメータに基づいて他の情報を収集するために使用される。これは、応答時間、発呼電話番号、被呼電話番号、請求書作成電話番号、呼長等を含むことができるが、これらに限らない。また、呼テーブル４０は、経過時間呼レジスタ（図示しない）も有している。また、呼の試みも記録されるだろう。
【００１８】
セルトラフィックは、呼の間の各方向のセル計数の収集を可能にする。また、セルトラフィックは、帯域内の消失したビット信号情報を収集するために使用することができる。
【００１９】
システムパラメータ  データは、どのタイプのデータが収集されるべきかをシステムに知らせるためにシステム管理装置によって、出力フォーマットと、出力の目標のシステムネームアドレスが設定される。データ収集ユニット２４からの出力には、現在のＡＴ＆Ｔ請求書作成システムと互換性のある記録フォーマットのデータ、またはＡＴＭ  ＡＭＡ規格と互換性のある記録フォーマットのデータ、または何か他の市販の請求書作成システムと互換性のある記録フォーマットのデータが含まれる。
【００２０】
データ収集ユニット２４とのインターフェース（図示しない）は、全システムパラメータの設定及び更新、システム性能の監視、状態ログの検査を含む。
【００２１】
ＲＩＣＩＦＵ３０は、ターミナルアダプタ２０及びＡＴＭスイッチ２２から情報を受信し、ＡＴＭネットワークを通過する全セルのコピーを収集する。設定されたデータ収集パラメータにしたがって、ＲＩＣＩＦＵ３０は、セルを記録済情報収集バス（ＲＩＣＢ）４２を介して、帯域内信号を分離するシステムユーティリティに送る。パラメータは、例えばＤ４帯域内信号用に設定することができる。システムユーティリティは、ＶＰＩ（図示しない）またはＶＣＩ（図示しない）記載事項に関する帯域内信号情報を呼テーブルに入れる。ＶＰＩ及びＶＣＩは、ネットワークを通るＡＴＭセルを識別して経路指示する識別子である。これらは、一般に、２つのエンドポイントスイッチ間の仮想接続であると理解される。
ＶＰＩ及びＶＣＩのフォーマットはＡＴＭ用に規格化されるが、ここでは説明しない。
【００２２】
次いで、システムユーティリティはセルをＰＲ３２へ送る。ＰＲ３２は、セルペイロードを除去し、呼に関する呼テーブル４０記載事項（ＶＰＩ／ＶＣＩ）のセル計数をインクリメントするデータ収集タスクである。
【００２３】
ＲＩＣＢ４２は、ＲＩＣＩＦＵ３０からデータを受信するように接続され、データ収集ユニットの２４待ち行列管理者になる。すなわち、ＲＩＣＢ４２は、１つの事象からデータを受信し、次の事象へデータを送る。受信中の事象がデータを処理するのに忙し過ぎる場合は、ＲＩＣＢ４２は、受信中のタスクがデータの準備状態になるまで、データを待ち行列に並べるだろう。ＲＩＣＢ４２はシステムを通過する全データを保護する。
【００２４】
ＰＲ３２は、呼テーブル４０、ＲＩＣＩＦＵ３０及びＲＩＣＢ４２に接続される。ＰＲ３２の使用はＴＤＭとＡＴＭの重要な相違点である。ＡＴＭネットワークでは、セルは請求書作成可能なアイテムであり、ＴＤＭシステムのような呼長の指示だけではない。セルが、システムパラメータ及び／またはセルのタイプに基づいて後処理を必要とする場合は、セルのヘッダがＲＩＣＢ４２を介してＣＲＳ３４に送られる。ペイロードは保持されず、またシステムで検査されたものでもない。
【００２５】
ＣＲＳ３４は、ＣＣＳ７ネットワーク２８及びＰＲ３２からの入力を受信するデータ収集ユニットである。ＣＲＳ３４はＰＲ３２と呼テーブル４０に接続される。ＣＲＳ３４は、初期呼テーブル記載事項を作成し、帯域内信号及びＣＣＳ７情報に基づいて呼テーブル記載事項を更新し、フォーマット化及び分配のために必要とされる呼テーブル記載事項またはＡＭＡデータをＢＩＦＵ３６へ送る。ＣＲＳ３４は、帯域内信号から呼分解コマンドを受信した後、呼に関する呼テーブル記載事項をクリアするだろう。
【００２６】
ＢＩＦＵ３６はＣＲＳ３４から情報を受信する。ＢＩＦＵ３６は、全呼情報を適切な請求書作成フォーマットにフォーマット化し、請求書作成情報を請求書作成システム２６へ送るデータ収集ユニットである。ＡＴＭセルは極端に早い速度で進み、データの収集は時間とハードウェアを必要とするので、バッファ３８がＢＩＦＵ３６に接続される。バッファ３８はフォーマット化された呼データを蓄積し、より遅い速度でかつ適切な時間でデータを出力する。請求書作成システム２６は、ＡＴＭ請求書作成システムまたは市販の請求書作成システムを含むことができる。
【００２７】
次に、本発明の動作を図３を参照して説明する。まず、ステップ１０１で、顧客は電話機を持ち上げ、ステップ１０２で、例えば長距離電話をかける。構内アクセスプロバイダは、例えばＣＣＳ７ネットワーク相互接続を使用してＡＴ＆Ｔまたは他のプロバイダにその呼を送り、ステップ１０３で呼を始める。ＡＴ＆Ｔまたは他のプロバイダは、ＣＣＳ７ネットワークの使用を継続して、その呼に関する回路の長距離部分を起動する。ＣＣＳ７ネットワーク２８は、その回路の全スイッチと通信して、呼が行われるのを確かめる。これは呼起動と呼ばれる。ステップ１０４で、ＣＣＳ７ネットワーク２８は、呼に関して必要な情報を全て回路の全スイッチに送り、次いでステップ１０５で、データ収集が始まる。必要な情報は、発呼番号、被呼番号、回路ＩＤ、ＶＰＩ／ＶＣＩ等を含む。データ収集プロセスは、ステップ１０６で初期化し、呼の開始時間、呼の日付け、呼のタイプ、発呼番号、被呼番号、ＶＰＩ／ＶＣＩ、発信用スイッチ等のような呼情報を収集する。ＣＣＳ７ネットワーク２８が呼起動を完了すると、宛先電話機が遠端で鳴り、ステップ１０７で、被呼者が電話機を持ち上げる。オフフック状態になると、ＣＣＳ７ネットワーク２８は、遠端が呼に応答したことを回路のスイッチに知らせる。
【００２８】
次いでステップ１０８で、データ収集ユニット２４は呼応答時間で呼テーブル４０を更新する。この時、音声／データ／ファクシミリ  トラフィックがシステムを介して送るのを始めることができる。ステップ１０９で、ターミナルアダプタ２０は、ＴＤＭプロトコルをＡＴＭセルに変換し、次いでステップ１１０で、音声データ／ファクシミリ  セルをＡＴＭスイッチ２２に送る。ＡＴＭスイッチ２２は、ターミナルアダプタ２０から到来するＶＰＩ／ＶＣＩを、その呼のためにＣＣＳ７ネットワーク２８が取り決めたＶＰＩ／ＶＣＩに変換する。ステップ１１１で、データ収集ユニット２４はセルペイロードを除去し、次いでステップ１１２で、受信したばかりのＶＰＩ／ＶＣＩに関して呼テーブル４０を更新する。ターミナルアダプタ２０は、ＴＤＭプロトコルをＡＴＭプロトコルに変換してＡＴＭスイッチに出力するのを継続し、ＡＴＭスイッチ２２は、呼が終了するまで、データ収集ユニット２４へデータを出力し続ける。
【００２９】
ステップ１１３は、呼が終了したか否かを判別する。呼が終了していなければ、システムはステップ１１１に戻り、セルペイロードの除去を継続する。呼が終了すると、例えば、呼に含まれていた電話機の１つが掛けられ、次いでステップ１１４で、ＣＣＳ７ネットワーク２８は、呼が終了したことを回路のスイッチに知らせる。ステップ１１５で、データ収集プロセスは、呼終了時間で、ＶＰＩ／ＶＣＩに関して呼テーブル４０を更新し、呼に関する呼テーブル記載事項をＢＩＦＵ３６に送って再フォーマット化し（ステップ１１６）、次いで、関連する請求書作成システム２６に分配する（ステップ１１７）。帯域内信号はシステム内の全スイッチに呼の分解を要求する。すなわち、ＴＤＭ及びＡＴＭシステムは共に、呼を終了させるための信号をスイッチに送信する。次いで、請求書作成情報がフォーマット化され、適切な請求書作成システム２６へ送られる。次いで、バッファ３８の全情報がクリアされ、ネットワークは次の呼を処理する準備状態になる（ステップ１１８）。
【００３０】
本発明のＡＴＭシステムは、呼起動及び切断データばかりでなくセルヘッダ及びルーティングデータも捕らえる。ＡＴＭスイッチ２２は、ネットワーク中のどこにでも配置することができる。データパスは、全ての呼作業の追跡を提供するように結合される。完全な、部分的なまたは要約的な呼詳細レポートが、データ収集ユニット２４で収集されたデータのタイプに基づいて作成される。ＣＲＳ３４は請求書作成データをＢＩＦＵ３６に送る。上述したように、ＢＩＦＵ３６は呼データを関連する請求書作成システムフォーマットに変換する。例えば、ＢＩＦＵ３６は現在の４ＥＳＳインターフェースバッファ（図示しない）に接続され、デジタル化された信号が３Ｂ２０Ｄ複合装置に送られる。３Ｂ２０Ｄ複合装置は、デジタル化信号を処理し、図示されない呼詳細記録プラットフォーム（ＣＤＲＰ）へ出力する。
【００３１】
上述したように、ＡＴＭネットワークにおけるデータ収集の種類またはタイプに関する規格は現在存在しない。どんなデータがＡＭＡに含められるべきかに関する企画が存在するだけである。しかしながら、本発明は、システムパラメータリストにより実行されるどんな規格にも適合するように容易に修正することができる。さらに、本発明は、既存のシステムを劇的に修正することなく現在のＴＤＭシステムと共に使用することができる。
【００３２】
上述の特徴及び利点は本発明の原理の単なる例示とみなされる。さらに、多くの修正や変更が当業者には容易に思い浮かぶので、図示され説明された厳密な構成及び応用に本発明を制限するのは望ましくなく、したがって、全ての適切な修正及び同等物は、本発明の範囲にあること、及び付随の請求の範囲とそれらの同等物とに頼ることができる。
【図面の簡単な説明】
【図１】ＡＴＭネットワーク用の請求書作成システムのブロック図である。
【図２】図１のデータ収集ユニットの詳細ブロック図である。
【図３】本発明の動作を説明するフローチャートである。
【図１】
0003696376.tif 000002
【図２】
0003696376.tif 000003
【図３】
0003696376.tif 000004